(57)【要約】      （修正有）【課題】本考案は、軽量で、家庭で使用される包丁や鋏等、園芸や農業作業で使用される鎌や鉈、刈払刃等、そして千枚通しやアイスピック等の針類まで多種の刃物を容易に研ぐことができ、特に直線状の刃を持つ刃物や曲線状の刃を持つ刃物の何れであっても、容易に、綺麗な仕上がりで、短時間でスムーズに研ぐことができる研ぎ具の提供。【解決手段】表面がダイヤモンド砥粒で被覆される研ぎ部１０と、研ぎ部１０を保持する握り手部２０とで構成される研ぎ具１であって、研ぎ部１０は、その表裏面のそれぞれに、平面研ぎ部１１と曲面研ぎ部１２とを構成している。また研ぎ部１０に被覆されるダイヤモンド砥粒は、研ぎ部１０の表裏面で大きさの異なる粒径のものを用いている。【選択図】図１
0003129968.tif 000002
【実用新案登録請求の範囲】
【請求項１】
表面がダイヤモンド砥粒で被覆される研ぎ部と、該研ぎ部を保持する握り手部とで構成される研ぎ具であって、
研ぎ部は、その表裏面のそれぞれに平面研ぎ部と曲面研ぎ部とを構成してあることを特徴とする研ぎ具。
【請求項２】
研ぎ部に被覆されるダイヤモンド砥粒は、該研ぎ部の表裏面で大きさの異なる粒径のものを用いていることを特徴とする請求項１に記載の研ぎ具。
【請求項３】
平面研ぎ部は、研ぎ部の表裏面のそれぞれの前部に、先端に向けて延設された平面として構成されていることを特徴とする請求項１又は２に記載の研ぎ具。
【請求項４】
平面研ぎ部の平面は先端が細く構成されていることを特徴とする請求項１〜３の何れかに記載の研ぎ具。
【請求項５】
曲面研ぎ部は、研ぎ部の表裏面のそれぞれの後部に、その横断面が円弧状に湾曲する曲面として構成されていることを特徴とする請求項１〜４の何れかに記載の研ぎ具。
【請求項６】
握り手部は、その前部に円弧状の鍔を構成してあることを特徴とする請求項１〜５の何れかに記載の研ぎ具。
【請求項７】
握り手部は、後端方向に向けて緩やかに広がる幅広形状に構成してあることを特徴とする請求項１〜６の何れかに記載の研ぎ具。
【考案の詳細な説明】
【技術分野】
【０００１】
本考案は刃物を研ぐ研ぎ具に関する。
【背景技術】
【０００２】
従来、刃物を研ぐ研ぎ具は、家庭で使用される包丁や鋏、園芸や農業作業で使用される鎌や鉈、刈払刃、そして千枚通しやアイスピック等の針類等、種々の刃物に対するものがあった。材質としては金属製のものやセラミック製のものがあった。一般的な研ぎ具は、該研ぎ具を前後に動かして刃研ぎを行うものが多く、刃物の形状によって上手く研げない問題があった。
一方、特開２００４−１２２３４８号公報には、刃物を固定して角度調整目盛りにより任意の角度で刃物を研ぐことができるよう構成された刃物研ぎ器が提供されている。
また特開２０００−２４６６０４号公報には、セラミックス体の内壁に形成された凹部を研ぎ面として、針状の刃物を研ぐことができるよう構成された針状刃物研ぎ具が提供されている。
【特許文献１】特開２００４−１２２３４８号公報
【特許文献２】特開２０００−２４６６０４号公報
【考案の開示】
【考案が解決しようとする課題】
【０００３】
上記特許文献１に示すような刃物研ぎ器は、研ぐ角度が自在に調整できるものであるが、刃物を固定して研がなければならないため、対象が固定できる刃物に限定される問題がある。また上記特許文献２に示すような刃物研ぎ具は、セラミックス体で構成されており、また対象とする刃物が針状のものに限定される問題があった。
また従来の平面的な研ぎ部だけが構成されている研ぎ具で鎌等の曲線形状の刃を研ぐ場合、平面研ぎ部が曲線状の刃に対して点で当接するため、曲線状の刃を上手く研ぐことができなかった。勿論、曲面的な研ぎ部だけが構成されている研ぎ具の場合は、通常の包丁等の直線形状の刃を効率よく研ぐことができなかった。
更に従来の研ぎ具では研ぎ面の粗さが一種類のものが多く、目を粗くすれば速く研げるが研ぎ面が荒くなる。また目を細かくすれば研ぎ面は綺麗に仕上がるが、時間やテクニックを必要とする等の問題があった。
【０００４】
そこで本考案は上記従来技術の問題を解決し、軽量で、家庭で使用される包丁や鋏等、園芸や農業作業で使用される鎌、鉈、刈払刃等、そして千枚通しやアイスピック等の針類まで多種の刃物を容易に研ぐことができる研ぎ具の提供を課題とする。
特に直線状の刃を持つ刃物でも曲線状の刃を持つ刃物でも、何れであっても容易に、綺麗な仕上がりで、短時間でスムーズに研ぐことができる研ぎ具の提供を課題とする。
【課題を解決するための手段】
【０００５】
上記課題を達成するため本考案の研ぎ具は、表面がダイヤモンド砥粒で被覆される研ぎ部と該研ぎ部を保持する握り手部とで構成される研ぎ具であって、研ぎ部は、その表裏面のそれぞれに平面研ぎ部と曲面研ぎ部とを構成してあることを第１の特徴としている。
また本考案の研ぎ具は、上記第１の特徴に加えて、研ぎ部に被覆されるダイヤモンド砥粒は、該研ぎ部の表裏面で大きさの異なる粒径のものを用いていることを第２の特徴としている。
また本考案の研ぎ具は、上記第１又は第２の特徴に加えて、平面研ぎ部は、研ぎ部の表裏面のそれぞれの前部に、先端に向けて延設された平面として構成されていることを第３の特徴としている。
また本考案の研ぎ具は、上記第１〜第３の何れかの特徴に加えて、平面研ぎ部の平面は先端が細く構成されていることを第４の特徴としている。
また本考案の研ぎ具は、上記第１〜第４の何れかの特徴に加えて、曲面研ぎ部は、研ぎ部の表裏面のそれぞれの後部に、その横断面が円弧状に湾曲する曲面として構成されていることを第５の特徴としている。
また本考案の研ぎ具は、上記第１〜第５の何れかの特徴に加えて、握り手部は、その前部に円弧状の鍔を構成してあることを第６の特徴としている。
また本考案の研ぎ具は、上記第１〜第６の何れかの特徴に加えて、握り手部は、後端方向に向けて緩やかに広がる幅広形状に構成してあることを第７の特徴としている。
【考案の効果】
【０００６】
請求項１に記載の研ぎ具によれば、表面がダイヤモンド砥粒で被覆される研ぎ部と、該研ぎ部を保持する握り手部とで構成される研ぎ具であって、研ぎ部は、その表裏面のそれぞれに平面研ぎ部と曲面研ぎ部とを構成してあるので、
平面研ぎ部では、主として包丁や鋏等の刃が直線状の形状をもつ刃物を効率よく研ぐことができ、また曲面研ぎ部では、主として鎌や鉈等の刃が曲線状の形状をもつ刃物を効率よく研ぐことができる。
また本考案の研ぎ具は、握り手部を手で持ち、平面研ぎ部と曲面研ぎ部とを交互に使用して或いは使い分けることにより、いろいろな刃の形状に対応させることができ、作業の効率と労力の軽減に有用なものである。
【０００７】
請求項２に記載の研ぎ具によれば、請求項１の構成による作用効果に加えて、研ぎ部に被覆されるダイヤモンド砥粒は、該研ぎ部の表裏面で大きさの異なる粒径のものを用いているので、
一側はダイヤモンド砥粒の粒径を粗くして荒研ぎ面とし、他側はダイヤモンド砥粒の粒径を細かくして仕上げ研ぎ面とすることで、前記一側の荒研ぎ面で刃物の荒研ぎを行い、荒研ぎが終わると他側の仕上げ研ぎ面で仕上げ研ぎを行うことができる。また荒研ぎの平面研ぎと曲面研ぎを行い、更に仕上げ研ぎの平面研ぎと曲面研ぎを行うことができるので、刃物を良好に且つ自在に研ぎ上げることができる。
【０００８】
また請求項３に記載の研ぎ具によれば、請求項１又は２に記載の構成による作用効果に加えて、平面研ぎ部は、研ぎ部の表裏面のそれぞれの前部に、先端に向けて延設された平面として構成されているので、
延設されて長径になされた平面研ぎ部によって、良好なストロークを確保した状態で、包丁や鋏等の刃が直線状の形状の刃物を、広い面積で接しながら効率よく研ぐことができる。
【０００９】
また請求項４に記載の研ぎ具によれば、請求項１〜３の何れかに記載の構成による作用効果に加えて、平面研ぎ部の平面は先端が細く構成されているので、
例えばチェンソーや仮払刃等の小さな刃や刃の狭い刃谷部分にも、十分に対応して侵入させることができ、良好に研ぐことができる。
【００１０】
また請求項５に記載の研ぎ具によれば、請求項１〜４の何れかに記載の構成による作用効果に加えて、曲面研ぎ部は、研ぎ部の表裏面のそれぞれの後部に、その横断面が円弧状に湾曲する曲面として構成されているので、
平面研ぎ部では刃に点で当たって上手く研げなかった鎌や鉈等の刃が曲線状の形状をもつ刃物に対しても、研ぎ部が円弧状に湾曲している曲面研ぎ部では刃に面で当たるので、広い面積で接しながら効率よく研ぐことができる。
また曲面研ぎ部と刃物の被研ぎ面との角度を変えることで、色々な曲率半径の曲面を持って繊細に刃物を研ぐことができる。
【００１１】
また請求項６に記載の研ぎ具によれば、請求項１〜５の何れかに記載の構成による作用効果に加えて、握り手部は、その前部に円弧状の鍔を構成してあるので、
研ぎ具を前後に動かしながら刃を研ぐ作業において、鍔がストッパーとなって手が研ぎ部や刃物に当たって傷付くのを防止することができると共に、前方への押し出しを容易に行うことができる。また鍔を設けたので、台所の包丁差しに包丁と一緒に差しておくこともできる。
【００１２】
また請求項７に記載の研ぎ具によれば、請求項１〜６の何れかに記載の構成による作用効果に加えて、握り手部は、後端方向に向けて緩やかに広がる幅広形状に構成してあるので、
握り易く、また刃研ぎ作業において研ぎ具を後方へ引く時に手が滑り難く且つ抜けずに引くことができ、作業がし易い。
【考案を実施するための最良の形態】
【００１３】
以下の図面を参照して、本考案の実施の形態を詳細に説明する。
図１は本考案の実施形態に係る研ぎ具の平面図、図２は本考案の実施形態に係る研ぎ具の正面図、図３は図２のＡ−Ａ断面拡大図、図４は図２のＢ−Ｂ断面拡大図、図５は図２のＣ−Ｃ断面拡大図である。
【００１４】
図面を参照して、本考案の研ぎ具１は、研ぎ部１０と握り手部２０で構成される。
前記研ぎ部１０は、全体として細長い扁平な形状に構成されており、表裏面のそれぞれに異なる粒径のダイヤモンド砥粒３０が被覆されている。研ぎ部１０の表裏面の一側は荒研ぎ面１０ａとして、粗粒子３１のダイヤモンド砥粒を被覆している。また他側は仕上げ研ぎ面１０ｂとして、細粒子３２のダイヤモンド砥粒を被覆している。
本実施形態の場合、粗粒子３１は１５０メッシュ、細粒子３２は３００メッシュのものを使用している。なお細粒子３２を、例えば８００メッシュ等、細かくし過ぎると、研ぐのに時間がかかって素人には使用し難くなるので、本考案では中程度の細かさに抑えて女性や素人にも使い易くしている。
刃を研ぐ作業は、例えば荒研ぎ面１０ａで荒研ぎをし、次に仕上げ研ぎ面１０ｂで仕上げ研ぎをすることにより、刃物を簡単に、綺麗に研ぐことができる。
【００１５】
前記研ぎ部１０は、金属製の芯材４０の表面にダイヤモンド砥粒３０が被覆されたもので、表裏面のそれぞれに、平面研ぎ部１１と曲面研ぎ部１２とが構成されている。
前記平面研ぎ部１１は、研ぎ部１０の長手方向の中央付近から先端に向けて延設されて長径に構成されている。また平面研ぎ部１１には、その前半部を先端に向けて次第に細くなるようにして、先端部１１ａを形成している。平面研ぎ部１１の平面形状は前記芯材４０を切削加工等することで形成される。加工された芯材４０の平面部に、ダイヤモンド砥粒が被覆されて平面研ぎ部１１が構成される。
平面研ぎ部１１は、主として包丁や鋏等の刃の形状が直線状のものを研ぐのに適しており、広い面積で刃に当接するので、刃研ぎ作業を簡単に、短時間ですることができる。またチェーンソーや刈払刃等の刃が小さい刃物や刃谷部分が狭い刃物には、細くした先端部１１ａを侵入させて刃研ぎをすることができるので、簡単に且つ綺麗に刃研ぎをすることができる。
【００１６】
前記曲面研ぎ部１２は、研ぎ部１０の長手方向となる中央付近の手前から後端にかけて、横断面が表面（荒研ぎ面１０ａ）側及び裏面（仕上げ研ぎ面１０ｂ）側において、それぞれ相互に反対方向に円弧状が膨出した曲面形状に形成されている。
即ち曲面研ぎ部１２は、その表裏面において、それぞれ円弧状曲面をもつ研ぎ面として構成されている。この円弧状曲面の曲率半径は横断方向に最も小さく、横断方向に対して角度がつくにつれて曲率半径は大きくなる。
従って曲面研ぎ部１２を刃物の被研ぎ面に対して種々の角度で使用することで、刃物の被研ぎ面を繊細に研ぐことができる。また鎌や鉈等の刃の形状が曲線状のものの刃研ぎをする場合、この曲面研ぎ部１２を使用すると、刃に対して面で当接するので、作業が簡単で、短時間で行うことができる。
一方、表裏の曲面研ぎ部１２（荒研ぎ面１０ａ、仕上げ研ぎ面１０ｂ）が相互に当接する両端部１２ａは鋭角となるようになされている。よってこの両端部１２ａを用いて刃物の狭い谷間にも侵入させることで、曲面研ぎ部１２においても隈なく刃物を研ぐことができる。
【００１７】
前記握り手部２０は、プラスチック成型として前記芯材４０を被覆する形で取り付けられており、前部に円弧状の鍔２０ａを構成している。該鍔２０ａを設けたことにより、研ぎ具１を前後に動かして刃を研ぐ作業において、鍔がストッパの役目を果たして、研ぎ部や刃物に手が当たって傷付くことなく安全に使用することができると共に、握り手を鍔２０ａに当接させることにより前方向への力を押出し易くできるようにしている。
前記握り手部２０は後端方向に緩やかに広がる幅広形状２０ｂで構成している。これによって握り易く、また刃研ぎ作業中において握り手部２０を後方へ引く時に手が滑り難く、また抜け難い形状にしている。
前記握り手部２０の後部には孔２０ｃが構成されており、これに紐等を通すことにより研ぎ具を吊り下げて保管することができる。また鍔２０ａを利用して台所の包丁差し等に差しておくこともできる。
【図面の簡単な説明】
【００１８】
【図１】本考案の実施形態に係る研ぎ具の平面図である。
【図２】本考案の実施形態に係る研ぎ具の正面図である。
【図３】図２のＡ−Ａ断面拡大図である。
【図４】図２のＢ−Ｂ断面拡大図である。
【図５】図２のＣ−Ｃ断面拡大図である。
【符号の説明】
【００１９】
１    研ぎ具
１０    研ぎ部
１０ａ  荒研ぎ面
１０ｂ  仕上げ研ぎ面
１１    平面研ぎ部
１１ａ  先端部
１２    曲面研ぎ部
１２ａ  両端部
２０    握り手部
２０ａ  鍔
２０ｂ  幅広形状
２０ｃ  孔
３０    ダイヤモンド砥粒
３１    粗粒子
３２    細粒子
４０    芯材
【図１】
0003129968.tif 000003
【図２】
0003129968.tif 000004
【図３】
0003129968.tif 000005
【図４】
0003129968.tif 000006
【図５】
0003129968.tif 000007